(57)【要約】【課題】歯科治療分野等、ハンドピースを主体とする把持部の移動可能な範囲が狭く、かつ様々な角度にレーザ照射を行う場合に、安価で簡便に治療目的を達成できるレーザ装置を提供する。【解決手段】把持可能なハンドピース本体１と、ハンドピース本体に通し、レーザ光を導き先端からレーザ光を放出するファイバ３と、ハンドピース本体の先端部に設け、ファイバの外側に位置する湾曲した管状のハンドピース２と、ハンドピースに沿って移動可能に設けた管状の湾曲したガイド４を備え、ガイド４とファイバ３の先端をハンドピース２の先端より移動することで、ファイバの先端から放出するレーザ光の放射角度を変更可能に構成したものである。【選択図】  図１
2004321463.tif 000002
【特許請求の範囲】
【請求項１】
把持可能なハンドピース本体と、前記ハンドピース本体内に通し、レーザ光を導き先端からレーザ光を放出するファイバと、前記ハンドピース本体の先端部に設け、前記ファイバの外側に位置する湾曲した管状のハンドピースと、前記ファイバの外側に位置して前記ハンドピースに、これより前方に突出可能に設け、かつ方向が変えられて、前記ファイバの先端からのレーザ光の放射角を変更する管状のガイドを備えたレーザ装置。
【請求項２】
把持可能なハンドピース本体と、前記ハンドピース本体内に通し、レーザ光を導き先端からレーザ光を放出するファイバと、前記ハンドピース本体の先端部に設け、前記ファイバの外側に位置する湾曲した管状のハンドピースと、前記ファイバの外側に位置して前記ハンドピースに沿って移動可能に設けた湾曲した管状のガイドを備え、前記ガイドと前記ファイバの先端を前記ハンドピースの先端より移動することで、前記ファイバの先端から放出するレーザ光の放射角度を変更可能に構成してなるレーザ装置。
【発明の詳細な説明】
【０００１】
【発明の属する技術分野】
本発明は、光ファイバ等のレーザプローブにレーザ光を導光し、レーザプローブの先端から放射されるレーザ光によって治療等を行うレーザ装置に関する。
【０００２】
【従来の技術】
一般的に医療用に利用されるレーザ装置においては、レーザ光を導光するファイバにおいて、治療のために術者が持つ部分にハンドピ−ス本体と呼ばれる把持部が設けられており、このハンドピース本体内に前記ファイバを通し、ハンドピース本体の先端部から突出させたファイバを術野に導くことで様々な治療が行われる。そして、このハンドピース本体の先端部には、例えば特許文献１に記載のように鈍角に曲げたもの、直角に曲げたもの等の数種類のアタッチメントを予め準備しておき、逐一付け替えを行うことによってハンドピース本体における先端部からのファイバの突出角度を変更してレーザ光の放射角を変更できる仕組みになっている。
【０００３】
しかしながら、上記構成では例えば、歯科治療の分野を例に挙げると、前歯等の術者正面からレーザ治療を行いやすい場合と、奥歯の裏側等の隠れたところにレーザ治療を行う場合とでは、レーザ照射をしやすくするために逐一、ハンドピース本体の先端部に、ハンドピースであるアタッチメントの付け替えを行わなければならず、治療に余分な時間がかかるという不便さがあった。
【０００４】
【特許文献１】
特開昭５８−７２３５号公報
【０００５】
【発明が解決しようとする課題】
上記従来の技術の問題点に鑑み、本発明が解決しようとする課題は、レーザ光の放射角を、アタッチメントの付け替えをすることなく容易に変更可能なレーザ装置を提供することにある。
【０００６】
【課題を解決するための手段】
上記課題を解決するために本発明のレーザ装置は、把持可能なハンドピース本体と、前記ハンドピース本体に通し、レーザ光を導き先端からレーザ光を放出するファイバと、前記ハンドピース本体の先端部に設け、前記ファイバの外側に位置する湾曲した管状のハンドピースと、前記ファイバの外側に位置して前記ハンドピースに、これより前方に突出可能に設け、かつ方向が変えられて前記ファイバの先端からのレーザ光の放射角を変更する管状のガイドを備えたものである。
【０００７】
この手段によれば、ハンドピース本体は湾曲したハンドピースと、ハンドピースより突出させ方向を変えられる管状のガイドとにより、ファイバの先端からのレーザ光の放射角を簡単に変更でき、作業効率を向上できる。
【０００８】
例えば、ハンドピース本体を把持した術者の正面に遮蔽物が無いとき等で治療のし易い、管状のガイドを必要としないときは、ハンドピース本体における管状のハンドピースの曲げ角度でレーザ光を放射させ、また遮蔽物がある奥歯の裏側にレーザ光を放射するときは、管状のガイドをハンドピース先端より前方に突出して方向を変えてレーザ光を放射させるものである。従って、歯科治療の分野等のように、ハンドピース本体を動かすことができる範囲が狭く、かつ様々な角度にレーザを導きたい場合には治療の途中でアタッチメントの付け替えを行う必要がなくなり、治療効率を向上させることができる。
【０００９】
【発明の実施の形態】
本発明の目的は各請求項に記載した構成を実施の形態の要部とすることにより達成できるので、以下には各請求項に対応する一実施例についての詳細を、図１〜図３を参照して説明し、本発明の実施の形態についての説明とする。
【００１０】
（実施の形態１）
図１は、本発明の実施の形態１におけるレーザ装置のハンドピース本体部分を示す断面図で、図２は同レーザ装置のハンドピース本体部分で、レーザ光の放射角を、図１の場合よりも変えたときの断面図で、図３は同じく図２の場合よりも更に、レーザ光の放射角を変えたときの断面図である。
【００１１】
１は筒状のハンドピース本体で、治療等を行う術者が実際に把持する部分である。２はハンドピース本体１の先端部に設けた管状のハンドピースで、使用目的であるレーザ光を放射する治療箇所に応じて予め湾曲させてあり、またハンドピース本体１に固定されているか、もしくは単体で着脱可能となっている。３はファイバで、レーザ装置本体（図示せず）から出射されたレーザ光を導き、その先端より術野へレーザ光を放射するためのものである。
【００１２】
ファイバ３は、図１、図２、図３のように、使用目的であるレーザ光を放射する治療箇所に応じて湾曲度合いと長さを変えてレーザ光の放射角を変えた場合でも、常にハンドピース本体１内を通してハンドピース２の先端部から一定長さ突出した形で固定されて使用される。
【００１３】
４はハンドピース２と同じＲで湾曲させた管状のガイドで、ハンドピース２の外側に嵌合して常には図１に示す位置にあって、使用目的であるレーザ光を放射する治療箇所に応じて図１に示すハンドピース２の先端面と同一位置から、図２に示す位置、図３に示す位置までハンドピース２に沿って突出可能に摺動による移動可能に構成されている。
【００１４】
そして、このようにレーザ光を放射する治療箇所に応じてガイド４が移動する度に、ハンドピース本体１とハンドピース２により固定されている（固定する構造を図示せず）ファイバ３は、一時的に固定が緩められて移動したガイド４に沿って曲げられ、かつガイド４の先端から所定長さ突き出したところで再びハンドピース本体１とハンドピース２により固定できるように構成してある。
【００１５】
上記実施の形態において、レーザ装置より出射されたレーザ光は、ファイバ３に導かれてハンドピース本体１のハンドピース２の先端より突き出しているファイバ３の先端より放射される。そして、このときのレーザ光の放射角度は、ガイド４がハンドピース２の外側に完全に重合して収まっているので、ハンドピース２の湾曲した角度に設定される。また、図２に示すようにガイド４をハンドピース２より前方に移動させ突出させると、ガイド４の湾曲に案内されてファイバ３は、図１の場合より湾曲してレーザ光の放射角度は、ガイド４の突出した長さで決まる湾曲角度に設定される。更に図３に示すようにガイド４をハンドピース２より前方に移動させ更に突出させると、前記したと同様にしてレーザ光の放射角度は、ガイド４の突出した長さで決まる湾曲角度に設定される。
【００１６】
すなわち、図１、図２、図３のように、管状のガイド４をハンドピース２の先端より前方に移動させてハンドピース２の先端部との相対位置を変えていったとき、管状のガイド４の先端方向が徐々に変わっていくようになる。例えば、各図に示す通り、ハンドピース２および管状のガイド４の曲げ具合を真円の１／４円弧にしておけば、図１と図３の比較通り、レーザ光の放射角度を最大９０度変更することができる。
【００１７】
このようにして、レーザ照射を行いたい方向において管状のガイド４をハンドピース２に対して固定し、ファイバ３を突出すれば、ハンドピース本体１の把持方法を変更することなくレーザ光の放射角度の変更ができるようになる。そして、任意にレーザ光の放射角度を変えることができるので、数種類の治療に対してもハンドピース本体１本で対応することができ、従来の技術のように予め必要数のアタッチメントであるハンドピースを準備する手間と例えば、治療箇所に対応して逐一、ハンドピースを着脱する手間が省け作業効率の向上を図ることができるとともに、経済的である等の利点が得られる。
【００１８】
以上のように本実施の形態にすることで、安価でかつ簡便に治療を行うことができるレーザ治療装置を提供することができる。
【００１９】
なお、上記実施の形態において、ガイド４は管状に形成してハンドピース２の外周に移動可能に設けたが、ハンドピース２の内周面に移動可能に設けても良いものであり、またガイド４を多数の襞を有する蛇腹状のガイドに形成してハンドピース２の外周の途中に一端部を固定し、そして図１〜図３に示すと同じようにガイドの他端部をハンドピース２の前方に向って伸縮と方向を変えられる構成にしても、本実施の形態と同様の作用効果を期待できるものである。
【００２０】
【発明の効果】
以上のように本発明によれば、ハンドピース本体の湾曲した管状のハンドピースに、これより前方に突出可能で、かつ方向が変えられる管状のガイドを設け、ファイバからのレーザ光の放射角を変更することにより、安価で作業効率の高いレーザ装置を提供することができる。
【図面の簡単な説明】
【図１】本発明の実施の形態１におけるレーザ装置のハンドピース本体部分を示す断面図
【図２】同実施の形態１におけるレーザ装置のハンドピース本体部分で、レーザ光の放射角を変えたときの断面図
【図３】同実施の形態１におけるレーザ装置のハンドピース本体部分で、レーザ光の放射角を更に変えたときの断面図
【符号の説明】
１  ハンドピース本体
２  ハンドピース
３  ファイバ
４  ガイド
【図１】
2004321463.tif 000003
【図２】
2004321463.tif 000004
【図３】
2004321463.tif 000005